(57)【要約】【課題】滅菌カバーの引っ張られによる操作部の不要な動作を無くした医用診断装置を提供する。【解決手段】検診台２と該検診台２に載置された被検者のＸ線透視画像を撮影するＸ線透視撮影装置からなる医用診断装置を操作する操作部において、前記検診台２及びＸ線透視撮影装置を操作する操作レバー及び押釦スイッチなどの操作器をまとめた操作部３を検診台２の側面に取り付け、操作レバー３１、３２を用いる場合はその間に操作レバー３１、３２より背が高い突起部材３３を固定する。これにより、操作部３上の滅菌カバー４を動かしても操作レバー３１、３２は動かず誤動作の発生が防止される。【選択図】            図２
0003127658.tif 000002
【実用新案登録請求の範囲】
【請求項１】
被検者を載置する検診台と、該検診台上の被検者にＸ線を照射して照射部位を撮影するＸ線透視撮影装置と、前記検診台及び／又は前記Ｘ線透視撮影装置を操作する複数の操作手段を配設した操作器を備えた医用診断装置において、前記操作器には、各操作手段より背の高い突起部を設置したことを特徴とする医用診断装置。
【請求項２】
被検者を載置する検診台と、該検診台上の被検者にＸ線を照射して照射部位を撮影するＸ線透視撮影装置と、前記検診台及び／又は前記Ｘ線透視撮影装置を操作する複数の操作スイッチ等を配設した操作器を備えた医用診断装置において、前記操作器には、各操作スイッチ等より背の高い突起部を操作スイッチ群の中央部に設置したことを特徴とする医用診断装置。
【請求項３】
前記操作器には、突起部を収納する収納部を設けたことを特徴とする請求項２記載の医用診断装置。
【考案の詳細な説明】
【技術分野】
【０００１】
本考案は、被検者を載置する検診台と載置された被検者の患部を撮影するＸ線透視撮影装置からなる医用診断装置に関する。
【背景技術】
【０００２】
医用診断装置には検診台に載置された被検者の患部を撮影するＸ線透視撮影装置として、Ｃアームの両端に、Ｘ線管と対向して入力面視野を視野切換スイッチで選択できるイメージインテンシファイヤ装置とＴＶカメラを取り付けたＸ線透視撮影装置が広く用いられている。このＸ線透視撮影装置には、通常、前記視野切換スイッチとＣアームを回転、上下、左右方向に移動させるための入力操作器などをまとめて配設する別置きの制御盤が備えられている（例えば、特許文献１参照。）。また、検診台として３軸方向へ移動させるための駆動部を操作する操作レバーを集めた入力操作器を側面に取り付けたものやさらには操作性を向上させるために前記Ｘ線透視撮影装置の制御盤に配設した入力操作器と検診台の入力操作器を一体的化した図５に示す操作部１０２を検診台１０１の側面に取り付けたものが用いられている（例えば、特許文献２参照。）。
【特許文献１】特開２００５−７０６４号公報
【特許文献２】特開平０８−２９９３９３号公報
【考案の開示】
【考案が解決しようとする課題】
【０００３】
しかしながら、上記のような操作部１０２を検診台１０１の側面に配設した医用診断装置を使用し、図５に示すような滅菌カバー１０５を被検者に掛けてＸ線透視撮影装置で検査を行う場合、被検者を載せた検診台１０１に取付けられた操作部１０２にも滅菌カバー１０５を掛けて操作部１０２を操作する。このとき、滅菌カバー１０５が被検者や操作者の動きによって矢印方向に引っ張られると操作レバー１０３、１０４の一方または両方が点線で示すように動いて作動し、装置が意図しない動作をする危険性がある。また、滅菌カバー１０５に隠れて操作部１０２の操作レバー１０３、１０４などの操作器が見えないという不都合も生じる。
この考案は、このような事情に鑑みてなされたものであって、滅菌カバーが診断・治療時中に引っ張られたりしても、操作部が不要な動作をしない医用診断装置を提供することを目的とする。
【課題を解決するための手段】
【０００４】
本考案の医用診断装置は被検者を載置する検診台と、該検診台上の被検者にＸ線を照射して照射部位を撮影するＸ線透視撮影装置と、前記検診台及び／又は前記Ｘ線透視撮影装置を操作する複数の操作手段を配設した操作器を備えた医用診断装置において、前記操作器には、各操作手段より背の高い突起部を設置したものである。
また、被検者を載置する検診台と、該検診台上の被検者にＸ線を照射して照射部位を撮影するＸ線透視撮影装置と、前記検診台及び／又は前記Ｘ線透視撮影装置を操作する複数の操作スイッチ等を配設した操作器を備えた医用診断装置において、前記操作器には、各操作スイッチ等より背の高い突起部を操作スイッチ群の中央部に設置したものである。さらにはこの操作器に突起部を収納する収納部を設けるようにしたものである。
【考案の効果】
【０００５】
本考案による突起部を操作器の間に設けることにより、被検者及び操作器を配設した操作部に滅菌カバーが掛けられこれが動いた場合、滅菌カバーは突起により支持されているので、その脇にある操作器の作動を防止することができる。また、突起部を目印に、そのまわりの操作器の位置を触覚だけで判定することができ、ブラインド操作を行うことを容易にする。
【考案を実施するための最良の形態】
【０００６】
以下、図面を参照しつつ本考案の実施の形態を説明する。図１は実施例による医用診断装置の構成図である。本医用診断装置はＸ線管と駆動電源部からなるＸ線発生部１１を下端に、受光部１２を上端に取り付けたＣアーム１３を保持して回転させる駆動機構を備えたＸ線透視撮影装置１と被検者を載置する天板２１を載設しこの天板２１を上下、水平方向に移動させる駆動機構を備えた検診台２と、前記Ｘ線透視撮影装置１を操作する操作器と検診台２を操作する操作器を集めて検診台２の側面に取り付けられている本考案による操作部３から構成されている。
【０００７】
本医用診断装置で診断・治療を行う際、Ｘ線透視撮影装置１ではＸ線透視範囲の絞込みやＣアーム１３の位置の調整、検診台２では天板２１の位置の調整などを行う必要があり、そのために必要なスイッチと連動する操作レバーや押釦スイッチなどの操作器が使用目的に対応して前記操作部３に配設されている。この医用診断装置で検診を行う場合、被検者への雑菌の侵入を防ぐために通常検診台２上の被検者の上面に滅菌カバー４が掛けられる。図２は実施例による操作部３の斜視図である。この操作部３は例えばＸ線透視範囲を調整する操作レバー３１とＣアーム１３の位置の調整を行う操作レバー３２の２つの操作レバーが並べて設けられている場合を示すもので、その他の操作器や前記Ｘ線透視撮影装置１に接続するケーブル電線は図示省略されている。前記操作レバー３１、３２間にこれらの操作レバーの背より高い棒状の突起部材３３が圧入または接着により操作部３に固定されている。
【０００８】
前記操作レバー３１、３２は図２に示すように通常は垂直方向を保持しているが、例えば矢印Ｂ方向に操作すると操作部３に内設されているスイッチ５が作動し、対応装置の調整が行われる。例えば前記操作レバー３１を操作すると対応する操作信号がＸ線発生部１１に送られ、Ｘ線透視範囲が調整される。
【０００９】
前記操作部３には、突起部材３３が設けられているので、図２に示すように被検者（図示省略）に布に滅菌加工を施した滅菌カバー４を掛けた時、滅菌カバー４は突起部材３３によりで内側から持ち上げられているので、滅菌カバー４の自重や操作者・被検者の動きにより滅菌カバー４が引っ張られて動いたりたりした場合でも、滅菌カバー４が各操作レバー３１、３２と接触しないか、接触しても各操作レバー３１、３２に掛かる力は軽減されるので各操作レバー３１、３２と連動してスイッチ５が作動することが無くなる。また、前記突起部材３３は不透明な滅菌カバー４を用いた場合でも突起部材３３は滅菌カバー４越しにおいても判別できるので、これを基点としてその周りの各操作レバー３１、３２の位置を知り操作することができ、操作性が向上する。なお、前記突起部材３３は、操作部３の筐体と一体で成型品で設けるようにしてもよい。
【００１０】
図３は他の実施例による操作部３Ａの一部の上面図（Ａ）と側面図（Ｂ）である。この操作部３Ａには上記操作レバー３１、３２の他、検診台２の高さを調整する操作レバー３４、水平方向の位置を調整する操作レバー３５の４個の操作レバーが取り付けられ、その中心位置の凹みに突起部材３６を単に差込むだけあるいはネジを形成して螺合により取り外し自由に設けられている。そして、その側面に突起部材３６を収容する収容ボックス３７が固定されている。これにより、滅菌カバー４を掛けないで診断を行う場合は、突起部材３６を外して収容ボックス３７に収容できるようにしたもので、滅菌カバー４を掛ける場合にはその前に突起部材３６を取り付けて使用するものである。
【００１１】
上記実施例では２個及び４個の操作レバーに対して１個の突起部材３３または３６を使用しているが、操作レバーや突起部材の個数はこれに限定されるものではなく、突起部は操作レバーの個数やその配置に対応して取り付け位置と個数が決められるものである。この場合、突起部形状を図４（Ａ）、（Ｂ）に示すようなΔ形の突起部材３３Ａ、スター形の突起部材３３Ｂなどにしたり、異なる高さのものを用いることにより、滅菌カバー４上からでも触覚により突起の形状が容易に判別でき、その周りの操作レバーの用途を容易に知ることができる。
【産業上の利用可能性】
【００１２】
検診台に載置した被検者に滅菌カバーを掛けた状態で被検者の透視画像を撮影し、診断・治療を行う医用診断装置に用いられる。
【図面の簡単な説明】
【００１３】
【図１】本考案の実施例による医用診断装置の構成を示す構成図である。
【図２】実施例に係わる操作部の構成の斜視図である。
【図３】実施例に係わる他の操作部の構成を示す上面図（Ａ）と側面図（Ｂ）である。
【図４】突起部材の形状に用いられるΔ形（Ａ）とスター形（Ｂ）を示す図である。
【図５】従来の医用診断装置の構成例を示す斜視図である。
【符号の説明】
【００１４】
１  Ｘ線透視撮影装置
１１  Ｘ線発生部
１２  受光部
１３  Ｃアーム
２  検診台
２１  天板
３、３Ａ  操作部
３１、３２、３４、３５  操作レバー
３３、３３Ａ、３３Ｂ、３６  突起部材
３７  収容ボックス
４  滅菌カバー
５  スイッチ
１０１  検診台
１０２  操作部
１０３、１０４  操作レバー
１０５  滅菌カバー
【図１】
0003127658.tif 000003
【図２】
0003127658.tif 000004
【図３】
0003127658.tif 000005
【図４】
0003127658.tif 000006
【図５】
0003127658.tif 000007